(57)【要約】【課題】連続的に成形される成形品の生産速度に追従しながら箔バリを簡単且つ確実に除去することができる超音波洗浄用治具を提供する。【解決手段】格子状の樹脂製フレーム２を有しその底面がネット４で覆われている第一フレーム１と、格子状の樹脂製フレームを有しその上面がネットで覆われており、各ネットが外側に位置するように第一フレーム上に積層される第二フレームとを備え、第一および第二フレームの各枡目が箔バリ付きの成形品を収容するための収容部Ａを構成し、積層される第一フレームと第二フレームの間に所定の間隙を形成するスペーサ部が、第一および第二フレームの対向面のいずれか一方の面に設けられ、成形品Ｂが間隙を通過することを防止するとともに、第一フレームと第二フレームが積層された際に嵌合して両フレームを固定する嵌合部が、第一および第二フレームの対向面に設けられていることを特徴とする。【選択図】図１
2009207952.tif 000002
【特許請求の範囲】
【請求項１】
格子状に形成された樹脂製フレームを有しその底面がネットで覆われている第一フレームと、格子状に形成された樹脂製フレームを有しその上面がネットで覆われており、上記各ネットが外側に位置するように上記第一フレーム上に積層される第二フレームとを備え、
上記第一および第二フレームの各枡目が箔バリ付きの成形品を収容するための収容部を構成し、
積層される上記第一フレームと上記第二フレームの間に所定の間隙を形成するスペーサ部が、上記第一および上記第二フレームの対向面のいずれか一方の面に設けられ、
上記成形品が上記間隙を通過することを防止するとともに、上記第一フレームと上記第二フレームが積層された際に嵌合して両フレームを固定する嵌合部が、上記第一および第二フレームの対向面に設けられていることを特徴とする超音波洗浄用治具。
【請求項２】
上記嵌合部として、上記対向面のいずれか一方の面に凸部（または凹部）が形成され、いずれか他方の面に凹部（または凸部）が形成されている請求項１記載の超音波洗浄用治具。
【請求項３】
上記第一および第二フレームにおける対向面と反対側の面に補強用金属フレームが付設されている請求項１または２記載の超音波洗浄用治具。
【請求項４】
上記スペーサ部の厚みが０．５〜２．０ｍｍである請求項１〜３のいずれか１項に記載の超音波洗浄用治具。
【請求項５】
上記樹脂製フレームが、耐熱性を有する樹脂から構成されている請求項１〜４のいずれか１項に記載の超音波洗浄用治具。
【請求項６】
上記ネットがポリアミドまたはポリプロピレンから構成されている請求項１〜５のいずれか１項に記載の超音波洗浄用治具。
【請求項７】
格子状に形成された樹脂製フレームの底面がネットで覆われている第一フレームと、格子状に形成された樹脂製フレームの上面がネットで覆われている第二フレームとから構成される超音波洗浄用治具を用い、
上記各ネットが外側に位置するように上記第一フレームと上記第二フレームとを対向させ、
上記第一または上記第二フレームの各枡目に箔バリ付きの成形品を収容し、
上記第一および第二フレームの対向面に形成された嵌合部を嵌合させることにより両フレームを所定の間隙を設けた状態で固定し、
成形品を収容した上記超音波洗浄用治具を超音波洗浄槽の洗浄液中に浸漬させ、
超音波発振装置を駆動させて超音波を上記成形品に放射し、
超音波洗浄終了後、上記超音波洗浄治具に収容されている上記成形品に対して乾燥エアーを吹き付け、上記ネットの網目から、および上記第一および第二フレームの間隙に、乾燥エアーを通過させることにより上記成形品を乾燥させることを特徴とする箔バリ処理方法。
【請求項８】
上記乾燥エアーの温度が４０℃以上８０℃以下である請求項７記載の箔バリ処理方法。
【発明の詳細な説明】
【技術分野】
【０００１】
本発明は、同時加飾成形時に不要な転写材が成形品に残ることによって生じる箔バリを除去するための、超音波洗浄用治具およびそれを用いた箔バリ処理方法に関するものである。
【背景技術】
【０００２】
従来より、家電製品のフロントパネルや携帯電話のウインドウパネル等に、文字や模様を成形と同時に施す同時加飾成形が行われている。
【０００３】
この種の同時加飾成形は、通常、文字や模様を転写層として持つ基材フィルムを金型内に挟み込み、射出成形と同時に、成形された成形品表面に上記転写層を接着させ、型開き時に、その成形品から上記基材フィルムを剥離させることによって、転写層のみを成形品に転写する。
【０００４】
ところが、成形品表面に例えば貫通孔や溝が存在する場合、転写する必要のないその貫通孔や溝に転写層が箔状に残り、いわゆる箔バリが発生する。
【０００５】
上記箔バリは、金型の合わせ面で生じるような成形バリとは異なり、厚さが極めて薄く品質も安定していることから比較的、簡単に除去できるものの、携帯電話のように数秒置きに複数個の成形品が製造されるような生産速度に追従しながら箔バリを除去することは容易でない。
【０００６】
箔バリを除去する方法の一つとして、同時加飾成形品を超音波洗浄槽の洗浄液中に浸漬させ、洗浄液中に超音波を放射することで箔バリを除去する方法が提案されている（例えば、特許文献１参照）。
【０００７】
図７は、その超音波洗浄槽の構成を示したものであり、(ａ)は正面図、(ｂ)は側面図を示している。
【０００８】
両図において、超音波洗浄槽６０の洗浄液面上には、洗浄液と空気との接触領域を制限するためのシート部材６１が設けられ、このシート部材６１に設けられたスリット６１ａから箔バリ付き成形品Ｍを洗浄液中に浸漬させるようになっている。
【０００９】
図中、６２は超音波発振装置であり、成形品Ｍの転写面に対して略直角に超音波を放射することができるようになっている。
【００１０】
図８は、上記成形品Ｍを拡大して示したものであり、洗浄前には、多数の箔バリＳが残存している。
【特許文献１】特開２００７−９８８１７号公報
【発明の開示】
【発明が解決しようとする課題】
【００１１】
しかしながら、上記した超音波洗浄によって箔バリを除去する方法では、成形品Ｍを洗浄液中に保持するための保持手段が必要であり、多数個の成形品Ｍを同時に超音波洗浄する場合、多数の保持手段が必要となるため、成形品Ｍの固定作業が繁雑になる。
【００１２】
また、成形品を超音波洗浄にかけると、成形品自体の乾燥だけでなく保持具とその成形品との接触部分に付着した洗浄液を除去するための乾燥も別途必要となるため、乾燥工程に多大な時間を費やさなければならないという問題があった。
【００１３】
本発明は以上のような従来の箔バリ除去方法における課題を考慮してなされたものであり、連続的に成形される成形品の生産速度に追従しながら箔バリを簡単且つ確実に除去することができる超音波洗浄用治具およびそれを用いた箔バリ処理方法を提供するものである。
【課題を解決するための手段】
【００１４】
本発明の超音波洗浄用治具は、格子状に形成された樹脂製フレームを有しその底面がネットで覆われている第一フレームと、格子状に形成された樹脂製フレームを有しその上面がネットで覆われており、上記各ネットが外側に位置するように上記第一フレーム上に積層される第二フレームとを備え、
上記第一および第二フレームの各枡目が箔バリ付きの成形品を収容するための収容部を構成し、
積層される上記第一フレームと上記第二フレームの間に所定の間隙を形成するスペーサ部が、上記第一および上記第二フレームの対向面のいずれか一方の面に設けられ、
上記成形品が上記間隙を通過することを防止するとともに、上記第一フレームと上記第二フレームが積層された際に嵌合して両フレームを固定する嵌合部が、上記第一および第二フレームの対向面に設けられていることを要旨とする。
【００１５】
上記超音波洗浄用治具において、上記嵌合部として、上記対向面のいずれか一方の面に凸部（または凹部）を形成し、いずれか他方の面に凹部（または凸部）を形成することができる。
【００１６】
また、上記第一および第二フレームにおける対向面と反対側の面に補強用金属フレームを付設することが好ましい。
【００１７】
また、上記スペーサ部の厚みは０．５〜２．０ｍｍの範囲内に調整することが好ましい。
【００１８】
また、上記樹脂製フレームの材質としては、いずれの成形樹脂を使用してもよいが、後述する乾燥工程において、４０℃〜８０℃の温風をその樹脂製フレームに吹き付けることが望ましいため、８０℃程度の熱にも耐え得る樹脂が好ましい。その一例としては、ポリウレタン樹脂、フッ素樹脂（例えばテフロン（登録商標））、フェノール樹脂等が示される。
【００１９】
また、上記ネットは、ポリアミドまたはポリプロピレンから構成することができる。
【００２０】
本発明の箔バリ処理方法は、格子状に形成された樹脂製フレームの底面がネットで覆われている第一フレームと、格子状に形成された樹脂製フレームの上面がネットで覆われている第二フレームとから構成される超音波洗浄用治具を用い、
上記各ネットが外側に位置するように上記第一フレームと上記第二フレームとを対向させ、
上記第一または上記第二フレームの各枡目に箔バリ付きの成形品を収容し、
上記第一および第二フレームの対向面に形成された嵌合部を嵌合させることにより両フレームを所定の間隙を設けた状態で固定し、
成形品を収容した上記超音波洗浄用治具を超音波洗浄槽の洗浄液中に浸漬させ、
超音波発振装置を駆動させて超音波を上記成形品に放射し、
超音波洗浄終了後、上記超音波洗浄治具に収容されている上記成形品に対して乾燥エアーを吹き付け、上記ネットの網目から、および上記第一および第二フレームの間隙に、乾燥エアーを通過させることにより上記成形品を乾燥させることを要旨とする。
【００２１】
上記箔バリ処理方法において、乾燥エアーの温度は４０℃以上８０℃以下であることが好ましい。
【発明の効果】
【００２２】
本発明の超音波洗浄用治具を使用すれば、箔バリ処理工程において成形品の箔バリを簡単に除去し、洗浄液の付着した成形品を効率よく乾燥させることができる。
【００２３】
また、ネットに支持された状態で成形品全体を効率良く乾燥させるため、箔バリ除去工程の処理時間を左右する乾燥時間を短縮することができる。さらに、成形品を超音波洗浄用治具に収納するだけで成形品をその治具に保持させることができるため、成形品保持作業が極めて簡便に行なえる。
【００２４】
本発明の箔バリ処理方法によれば、成形品の箔バリを簡単に除去することができ、且つ処理時間を短縮することができるという長所を有する。
【発明を実施するための最良の形態】
【００２５】
以下、図面に示した実施の形態に基づいて本発明を詳細に説明する。
【００２６】
本発明の超音波洗浄用治具は、平面から見て長方形の上側フレーム（第二フレーム）とこの上側フレームと同じサイズからなる下側フレーム（第一フレーム）とを組み合わせことによって構成される。
【００２７】
Ａ  超音波洗浄用治具
ａ下側フレームの構成
図１において、下側フレーム１は格子状に形成された樹脂製フレーム２と、この樹脂製フレーム２と同じ形状となるように格子状に加工され、上記樹脂製フレーム２の底面側に付設される金属製フレーム３と、樹脂製フレーム２の開口部Ａに張り渡された樹脂製ネット４とを有している。
【００２８】
なお、樹脂製ネット４を備えた上記開口部Ａは箔バリ付き成形品を収容するスペースとなるため、以下、成形品収容部Ａと呼ぶ。
【００２９】
ａ-１樹脂製フレーム
上記樹脂製フレーム２は、ポリプロピレン樹脂を格子状に切削加工または成形することによって構成されている。
【００３０】
成形品収容部Ａの輪郭を構成している各フレーム部２ａにおいて、後述する上側フレーム１０と対向させる対向面には、複数の凹溝（凹部）２ｂが等間隔に形成されている（本実施形態では凹溝２ｂは樹脂製フレーム２の厚さ方向に貫通する３つの長孔で構成されている）。これらの凹溝２ｂには、後述する上側フレーム１０の凸条（凸部）１１ｂ（図２参照）が嵌合するようになっている。
【００３１】
上記成形品収容部Ａは、箔バリ付き成形品Ｂを、余裕を持たせて収容するスペースが確保されており、箔バリ付き成形品が例えば、携帯電話のウインドウパネルの場合、上記収容部Ａのサイズは、横方向長さＸ＝８５．８ｍｍ、縦方向長さＹ＝７０ｍｍとなるように樹脂製フレーム２が成形される。
【００３２】
ａ-２金属製フレーム
金属製フレーム３は、上記樹脂製フレーム２の形状に合わせて、厚さ４ｍｍのステンレス鋼板を切削加工または打ち抜き加工することによって格子状に形成されている。
【００３３】
この金属製フレーム３は、樹脂製フレーム２の変形（長手方向の反りや波打ち）を防止してフラットな状態に保形するために設けられている。
【００３４】
なお、この金属製フレーム３において上記凹溝２ｂと対応する箇所には水抜き用の貫通孔３ａが複数形成されている。
【００３５】
また、上記樹脂製フレーム２と上記金属製フレーム３はねじ５を用いて固定されている。
【００３６】
ａ-３樹脂製ネット
樹脂製ネット４は、下側フレーム１全体にわたって網状に配索されており、直径０．４ｍｍのポリアミド糸、具体的にはナイロン糸から構成されている。この樹脂製ネット４は、樹脂製フレーム２と金属製フレーム３との間に挟み込まれた状態で樹脂製フレーム２に固定されている。
【００３７】
上記ナイロン糸は箔バリ付き成形品が接触してもキズがつきにくいという利点があるため好ましいが、箔バリ付き成形品に疵がつきにくい材質であれば、ナイロン糸以外に、例えば、ポリプロピレン糸等を使用することができる。
【００３８】
また、上記樹脂製ネット４は、ナイロン糸を網状に編むことによって形成されるが、これに限らず、予めネット状に成形された樹脂シートを使用することもできる。
【００３９】
また、網目の寸法は、箔バリを除去しようとする成形品に応じて適宜設定される。
【００４０】
ｂ  上側フレームの構成
図２は上側フレーム１０の構成を示したものであり、同図(ａ)は底面図、同図(ｂ)はその側面図である。なお、図２(ａ)において底面図で示しているのは、下側フレーム１との嵌合部分が理解しやすいようにするためである。
【００４１】
両図において、上側フレーム１０は格子状に形成された下側フレーム１と同じサイズからなる樹脂製フレーム１１と、この樹脂製フレーム１１と同様に格子状に加工され、樹脂製フレーム１１の上面側に付設される金属製フレーム１２と、樹脂製フレーム１１の成形品収容部Ａ′に張り渡された樹脂製ネット１３とを有している。
【００４２】
なお、下側フレームの収容部Ａと上側フレームの収容部Ａ′が対向した状態で組み合わされることによって、箔バリ付き成形品を収容する収容部が完成されるようになっている。
【００４３】
ｂ-１樹脂製フレーム
上記樹脂製フレーム１１は、ポリプロピレン樹脂を格子状に切削加工または成形することによって構成されており、成形品収容部Ａ′の輪郭を構成している各フレーム部１１ａには、複数の凸条１１ｂ（本実施形態では３つ）が等間隔に形成されている。これらの凸条１１ｂは、上記した下側フレーム１の凹溝２ｂに嵌合するように配置されている。
【００４４】
また、樹脂製フレーム１１において、フレーム部１１ａがＬ字（コーナー部）、Ｔ字（外周部）または十字（外周部より内側の各部）に交わる各部位には、それぞれ正方形（図２(ａ)参照）の段部１１ｃが隆起した状態で形成されている。
【００４５】
図３は図２(ｂ)を拡大して示したものである。
【００４６】
図３において、樹脂製フレーム１１の厚さは４ｍｍ、この樹脂製フレーム１１の底面から隆起している上記段部１１ｃの高さは１ｍｍ、同じく上記底面から突出している凸条１１ｂの高さは４ｍｍである。
【００４７】
なお、段部の高さは箔バリ付き成形品Ｂが隙間を通して抜け落ちないように０．５ｍｍ〜２．０ｍｍの範囲に設定することが好ましい。
【００４８】
ｂ-２金属製フレーム
図２において、金属製フレーム１２は、上記樹脂製フレーム１１の形状に合わせて、厚さ４ｍｍのステンレス鋼板を切削加工または打ち抜き加工することによって格子状に形成されている。
【００４９】
この金属製フレーム１２は、下側フレーム１の樹脂製フレーム２と同様に変形を防止して樹脂製フレーム１１をフラットな状態に保形するために付設されている。
【００５０】
また、樹脂製フレーム１１と金属製フレーム１２はねじ１４を用いて固定されている。
【００５１】
ｂ-３樹脂製ネット
樹脂製ネット１３は、上側フレーム１０の全体にわたって網状に配索されており、直径
０．４ｍｍのナイロン糸から構成されている。この樹脂製ネット１３は、樹脂製フレーム１１と金属製フレーム１２との間に挟み込まれた状態で固定されている。
【００５２】
上側フレーム１０に設ける樹脂製ネット１３についても、成形品にキズがつきにくい材質であれば、ナイロン糸以外に、ポリプロピレン糸等を使用することができる。
【００５３】
また、樹脂製ネット１３は、上記したようにナイロン糸を網状に編むことによって形成されるが、これに限らず、予めネット状に成形された樹脂シートを使用することもできる。
【００５４】
上記構成を有する下側フレーム１と上側フレーム１０を、樹脂製ネット４および１３が外側に位置する状態で対向させ、下側フレーム１に形成されている凹溝２ｂに、上側フレーム１０に形成されている凸条１１ｂを嵌合させると、下側フレーム１上と上側フレーム１０を組み合わせて一体化させることができる。
【００５５】
また、上側フレーム１０には、高さ１ｍｍの段部１１ｃが複数形成されているため、下側フレーム１と組み合わされた際に、両フレームの間に１ｍｍの隙間が確保されるようになっている。この隙間は、超音波洗浄用治具を洗浄液から取り出して液切り、乾燥する際に、乾燥エアーが通り水を吹き飛ばすための通路として機能するようになっている。それにより、乾燥時間を短縮させることができる。
【００５６】
なお、上記実施形態では３×５＝１５個取り用の超音波洗浄用治具の構成について説明したが、超音波洗浄用治具は上記１５個取り用に限らず、４×４＝１６個取り用や後述する４×５＝２０個取り用に構成することもできる。要するに、生産される成形品のサイズに合わせて格子のマス数を適宜設定することができる。
【００５７】
図４はマス数が２０である超音波洗浄用治具の下側フレームの構成を示している。下側フレーム２０は図１に示した下側フレーム１と基本的に同じ構成からなり、２１は樹脂製フレーム、２２は金属製フレーム、２３は樹脂製ネットである。フレーム部２１ａには凹溝（凹部）２１ｂが形成されている。
【００５８】
図５は上側フレーム３０の構成を示している。上側フレーム３０は図２に示した上側フレーム１０と基本的に同じ構成からなり、３１は樹脂製フレーム、３２は金属製フレーム、３３は樹脂製ネットである。フレーム部３１ａには凸条（凸部）３１ｂが形成されている。
【００５９】
また、３１ｃは上側フレーム３０と下側フレーム２０とを組み合わせた際に、隙間を確保するための段部である。
【００６０】
Ｂ  超音波洗浄装置
図６は箔バリ除去に使用する超音波洗浄装置の基本構成を示したものである。
【００６１】
同図において、超音波洗浄装置４０は、箔バリ付き成形品から箔バリを除去するための超音波洗浄槽４１と、この超音波洗浄槽４１内の洗浄液を脱気するための脱気装置４２と、洗浄された成形品を乾燥させる乾燥装置４３とを備えている。
【００６２】
上記超音波洗浄槽４１内には洗浄液Ｗ中に超音波を放射する超音波発振装置４４が備えられている。
【００６３】
また、上記超音波洗浄槽４１には、洗浄液Ｗを抜き出して循環（矢印方向）させるための洗浄液抜出路４５が備えられ、この洗浄液抜出路４５の途中にはストレーナ４６を介して循環ポンプ４７が設けられている。
【００６４】
この循環ポンプ４７の下流側には、複数のフィルタ（図示しない）から構成される浄化装置４８、洗浄液Ｗの温度を調整する温度調整装置４９が設けられている。
【００６５】
この温度調整装置４９の下流側には上記脱気装置４２が接続され、脱気された洗浄液Ｗは洗浄液戻し路５０を通じて超音波洗浄槽４１に戻されるようになっている。
【００６６】
また、上記乾燥装置４３は、箱状のフード４３ａ内に、一対のブロア４３ｂおよび４３ｃが配置されており、箔バリが除去された成形品の上方および下方から乾燥エアーを吹き付けるようになっている。
【００６７】
なお、図中、Ｂ１は箔バリ付き成形品を収容した超音波洗浄用治具を、Ｂ２は箔バリ除去中の超音波洗浄用治具を、Ｂ３は乾燥中の超音波洗浄用治具を、Ｂ４は処理後の超音波洗浄用治具をそれぞれ示している。
【００６８】
なお、上記超音波洗浄装置４０は基本構成を示したものであり、上記超音波洗浄槽４１は複数段設けることができ、それぞれの洗浄液温度も異なる温度に設定することができる。また、乾燥装置４３についても複数段設けることができ、それにより、乾燥時間を短縮することができる。
【００６９】
Ｃ  箔バリ除去方法
次に、上記構成を有する超音波洗装置４０を用いて箔バリを除去する方法について説明する。
【００７０】
まず、図１に示した収容部Ａに箔バリ付き成形品Ｂを載置する。この実施形態の例では、３×５＝１５個の箔バリ付き成形品Ｂがセットされる。
【００７１】
次いで、図２に示した上側フレーム１０をその下側フレーム１上に重ねて組み合わせる。このとき、上側フレーム１０に形成されている凸条１１ｂが下側フレーム１に形成されている凹溝２ｂに嵌合し、上側フレーム１０と下側フレームが固定され一体化される。それにより、超音波洗浄治具は変形に耐え得る剛性が確保される。ただし、段部１１ｃの高さ１ｍｍ分、上側フレーム１０と下側フレーム１との間に隙間が確保される。
【００７２】
この状態で箔バリ付き成形品Ｂは、下側フレーム１の樹脂製ネット４と、上側フレーム１０の樹脂製ネット１３との間に挟まれることになる。なお、成形品Ｂと樹脂製ネット１３との間には若干の隙間が確保されている。
【００７３】
このようにして箔バリ付き成形品Ｂがセットされた超音波洗浄用治具Ｂ１を、移動用のかごに載せて超音波洗浄槽４１に搬入し、洗浄液Ｗ中に浸漬させる。
【００７４】
次いで、超音波発振装置４４を駆動させ超音波を箔バリ付き成形品Ｂに放射する。このとき、箔バリ付き成形品Ｂはフレーム部２ａの枠内で移動しようとするが、垂直方向の移動については樹脂製ネット４および１３によって拘束され、水平方向の移動についてはフレーム部２ａによって拘束される。
【００７５】
また、超音波発振により発生したキャビテーションを成形品に対して均一に照射させるために、トレーに対し成形品を天地方向に収納し且つそのトレーを上下動させるとよい。これは超音波発振により発生したキャビテーションのエネルギー分布が、垂直方向において定常波状になっているからである。
【００７６】
また、水平方向にはポリプロピレン樹脂製のフレーム部が配置されているため、箔バリ付き成形品が水平方向に移動してフレーム部と接触しても疵の付く虞れがない。
【００７７】
超音波洗浄が終了すると、箔バリの除去された成形品は乾燥装置４３に搬送され、成形品の上方および下方から乾燥エアーが吹き付けられ、液切り乾燥が行われる。
【００７８】
超音波洗浄用治具には上記したように、上側フレーム１０と下側フレーム１との間に１ｍｍの隙間が確保されており、乾燥エアーは垂直方向だけでなく、その隙間を通路として水平方向にも自由に流れるため、乾燥エアーが通り水を吹き飛ばすことができ、それにより、乾燥時間を短縮することができるようになっている。
【００７９】
また、この乾燥エアーは、４０℃以上８０℃以下であることが好ましい。４０℃を下回ると乾燥工程に時間がかかり、効率良く成形品を乾燥させることができなくなり、一方、８０℃を上回ると成形品がその形状を維持できなくなるからである。
【００８０】
このようにして、箔バリが除去された成形品が乾燥される。
【００８１】
なお、上記実施形態では、携帯電話用成形品に生じた箔バリを除去する場合を例に取り説明したが、箔バリ除去対象の成形品としては、携帯電話に限らず、家電製品のフロントパネルや日用品のケース等、任意の同時加飾成形品に適用することができる。
【図面の簡単な説明】
【００８２】
【図１】本発明に係る超音波洗浄用治具の下側フレームの構成を示す一部切欠きを有する平面図である。
【図２】(ａ)は本発明に係る超音波洗浄用治具の上側フレームの構成を示す一部切欠きを有する底面図、(ｂ)はその側面図である。
【図３】図２(ｂ)の拡大図である。
【図４】本発明に係る超音波洗浄用治具の下側フレームの変形例を示す平面図である。
【図５】(ａ)は本発明に係る超音波洗浄用治具の上側フレームの変形例を示す底面図、(ｂ)はその側面図である。
【図６】本発明に係る超音波洗浄方法に使用する超音波洗浄装置の基本構成を示す説明図である。
【図７】(ａ)は従来の超音波洗浄槽の構成を示す正面図、(ｂ)はその側面図である。
【図８】図７に示す成形品の拡大図である。
【符号の説明】
【００８３】
１    下側フレーム（第一フレーム）
２    樹脂製フレーム
２ａ  フレーム部
２ｂ  凹溝
３    金属製フレーム
４    樹脂製ネット
５    ねじ
１０    上側フレーム（第二フレーム）
１１    樹脂製フレーム
１１ａ  フレーム部
１１ｂ  凸条
１１ｃ  段部
１２    金属製フレーム
１３    樹脂製ネット
１４    ねじ
【図２】
2009207952.tif 000003
【図３】
2009207952.tif 000004
【図４】
2009207952.tif 000005
【図５】
2009207952.tif 000006
【図６】
2009207952.tif 000007
【図７】
2009207952.tif 000008
【図１】
2009207952.tif 000009
【図８】
2009207952.tif 000010